(57)【特許請求の範囲】
【請求項１】
第１の通信拠点を含む第１の回線交換網、及び、第２の通信拠点を含む第１のパケット交換網のいずれとも接続された第２のパケット交換網である第１通信網と、
第３の通信拠点を含む第２の回線交換網である第２通信網とに接続されたゲートウェイ装置であって、
前記第１の通信拠点及び前記第２の通信拠点のそれぞれを示す拠点情報と複数の増減値とを対応付けて予め記憶する記憶部と、
指定された前記増減値に基づいて信号レベルの増減を行う信号増減部と、
受信した通信呼における前記第１通信網側の通信拠点を示す拠点情報が、前記第１の通信拠点又は前記第２の通信拠点のいずれを示すかを判定し、当該判定された拠点情報に基づいて前記記憶部を参照して、前記受信した通信呼における前記拠点情報に対応付けられた増減値を決定し、前記信号増減部に対して当該決定した増減値を指定して当該受信した通信呼を処理させる制御部と、
を備え、
前記第１の通信拠点を示す拠点情報に対応付けられた増減値は、前記第１の回線交換網を形成する回線交換機に設定済みの増減値を打ち消すような増減値である、
ことを特徴とするゲートウェイ装置。
【請求項２】
前記ゲートウェイ装置は、複数の前記信号増減部を備え、
前記制御部は、
第１の通信呼を処理中に第２の通信呼を受信した場合に、前記第２の通信呼における前記拠点情報に基づいて増減値を決定し、前記複数の信号増減部の中から当該第１の通信呼の処理に用いられた信号増減部以外の信号増減部を選択し、当該選択した信号増減部に対して当該決定した増減値を指定して当該第２の通信呼を処理させる
ことを特徴とする請求項１に記載のゲートウェイ装置。
【請求項３】
前記第１通信網から前記通信呼を受信し、当該受信した通信呼における発信元である通信拠点を前記拠点情報として抽出して前記制御部へ通知する第１受信部と、
前記第２通信網から前記通信呼を受信し、当該受信した通信呼における着信先である通信拠点を前記拠点情報として抽出して前記制御部へ通知する第２受信部と、
をさらに備えることを特徴とする請求項１又は２に記載のゲートウェイ装置。
【請求項４】
第１の通信拠点を含む第１の回線交換網、及び、第２の通信拠点を含む第１のパケット交換網のいずれとも接続された第２のパケット交換網である第１通信網と、
第３の通信拠点を含む第２の回線交換網である第２通信網とに接続され、
前記第１の通信拠点及び前記第２の通信拠点のそれぞれを示す拠点情報と複数の増減値とを対応付けて予め記憶する記憶部と、
指定された前記増減値に基づいて信号レベルの増減を行う信号増減部とを備えるゲートウェイ装置の通信制御方法であって、
前記第１通信網と前記第２通信網との間の通信呼を受信し、
前記受信した通信呼における前記第１通信網側の通信拠点を示す拠点情報が、前記第１の通信拠点又は前記第２の通信拠点のいずれを示すかを判定し、
当該判定された拠点情報に基づいて前記記憶部を参照して、前記受信した通信呼における前記拠点情報に対応付けられた増減値を決定し、
前記信号増減部に対して当該決定した増減値を指定して当該受信した通信呼を処理させ、
前記第１の通信拠点を示す拠点情報に対応付けられた増減値は、前記第１の回線交換網を形成する回線交換機に設定済みの増減値を打ち消すような増減値である
ゲートウェイ装置の通信制御方法。
【請求項５】
第１の通信拠点を含む第１の回線交換網、及び、第２の通信拠点を含む第１のパケット交換網のいずれとも接続された第２のパケット交換網である第１通信網と、
第３の通信拠点を含む第２の回線交換網である第２通信網とに接続され、
前記第１の通信拠点及び前記第２の通信拠点のそれぞれを示す拠点情報と複数の増減値とを対応付けて予め記憶する記憶部と、
指定された増減値に基づいて信号レベルの増減を行う信号増減部を備えるコンピュータに対して、
前記第１通信網と前記第２通信網との間の通信呼を受信する処理と、
前記受信した通信呼における前記第１通信網側の通信拠点を示す拠点情報が、前記第１の通信拠点又は前記第２の通信拠点のいずれを示すかを判定し、
当該判定された拠点情報に基づいて前記記憶部を参照して、前記受信した通信呼における前記拠点情報に対応付けられた増減値を決定し、前記信号増減部に対して当該決定した増減値を指定して当該受信した通信呼を処理させる制御処理と、
を実行させ、
前記第１の通信拠点を示す拠点情報に対応付けられた増減値は、前記第１の回線交換網を形成する回線交換機に設定済みの増減値を打ち消すような増減値である通信制御プログラム。
【発明の詳細な説明】
【技術分野】
【０００１】
本発明は、ゲートウェイ装置、ゲートウェイ装置の通信制御方法及び通信制御プログラムに関し、特に、ＰＢＸ（Ｐｒｉｖａｔｅ  Ｂｒａｎｃｈ  ｅＸｃｈａｎｇｅ）とＩＰ（Ｉｎｔｅｒｎｅｔ  Ｐｒｏｔｏｃｏｌ）網を接続するためのゲートウェイ装置、ゲートウェイ装置の通信制御方法及び通信制御プログラムに関する。
【背景技術】
【０００２】
近年、複数のＰＢＸ間のＷＡＮ（Ｗｉｄｅ  Ａｒｅａ  Ｎｅｔｗｏｒｋ）回線における回線コストの抑制等のため、ＷＡＮ回線を既存のアナログ回線及びデジタル回線が混在するＰＢＸコア網からより安価なイーサネット（登録商標）回線のＩＰ網に交換するＶｏＩＰ（Ｖｏｉｃｅ  ｏｖｅｒ  Ｉｎｔｅｒｎｅｔ  Ｐｒｏｔｏｃｏｌ）化が進んでいる。ＶｏＩＰ化に際しては、ＰＢＸとＩＰ網の間にＶｏＩＰゲートウェイ装置を設置する必要がある。
【０００３】
ここで、特許文献１には、エコーキャンセラで期待する予測信号を変化させること無く、ゲートウェイ装置でエコー抑制量を向上させ、かつ期待の音声レベルを得るためのゲートウェイ装置に関する技術が開示されている。特許文献１にかかるゲートウェイ装置は、公衆回線から検索されたゲイン情報を受信し、受信したゲイン情報を加味して擬似エコーを算出し、エコー経路の出力信号と擬似エコーとの差分信号が最小になるように予測関数を適応的に制御する。
【０００４】
また、特許文献２には、音声レベルの変動を抑制するための音声ゲートウェイ装置に関する技術が開示されている。特許文献２にかかる音声ゲートウェイ装置は、２つのＰＢＸの間をインターネットで接続するために、各ＰＢＸとインターネットとの間に２つ設置されたものである。そして、２つのノードのうち一方のノードの音声ゲートウェイ装置が選択した音声レベル情報を、他方の音声ゲートウェイ装置へ通知するものである。
【先行技術文献】
【特許文献】
【０００５】
【特許文献１】特開２００６−３３２６１号公報
【特許文献２】特開２００２−３７４３７１号公報
【発明の概要】
【発明が解決しようとする課題】
【０００６】
しかしながら、特許文献１及び２では、ＷＡＮ回線をＰＢＸコア網からＩＰ網に置き換えた場合に、通信呼ごとの音声の品質が維持できないという問題点がある。まず、ＷＡＮ回線をＰＢＸコア網からＩＰ網へ置き換えることと、ＰＢＸをＩＰＬＳ（Ｉｎｔｅｒｎｅｔ  Ｐｒｏｔｏｃｏｌ  Ｌｏｃａｌ  Ｓｗｉｔｃｈ）へ置き換えることとは、コストの問題やＬＡＮ（Ｌｏｃａｌ  Ａｒｅａ  Ｎｅｔｗｏｒｋ）など通信設備の問題から段階的に行われている現実がある。そのため、既存のＰＢＸを継続して使用する必要があり、また、電話機にハイブリッド回路が残ることとなる。よって、上述の通りＶｏＩＰゲートウェイ装置が必要となる。
【０００７】
また、既存のＰＢＸコア網では、拠点間に接続される通信回線としてアナログ回線とデジタル回線とが混在しているため、既存のＰＢＸには対拠点ごとに個別にゲイン値が設定されている。そして、拠点の組合せごとに、伝送損失やエコーを考慮した最適なゲイン値に調整済みの状態で設定されている。
【０００８】
ここで、ＩＰ網ではＰＢＸコア網に比べて伝送遅延が大きい。そのため、既存のＰＢＸに設定されたゲイン値をそのまま用いると、ＩＰ網の伝送遅延によりエコーが発生し得る。つまり、通話の阻害要因になり易くなる。また、ＩＰ網では伝送損失がなくなるため、送受信の音声レベルが合わなくなり得る。よって、これらの問題を解消するには、既存のＰＢＸに設定されたゲイン値を初期化し、再設定することが必要となる。
【０００９】
しかしながら、ＰＢＸのゲイン値の調整は、対拠点ごとに個別に手探りのカットアンドトライ作業が必要となるため、拠点の組合せの全てについてＰＢＸのゲイン値を再設定することは非常に煩雑であり、長時間を要するため実現が困難である。
【００１０】
また、特許文献１に係る技術は、公衆回線から信号レベル値を測定し、測定値によりエコーキャンセラを制御するものである。しかし、ＷＡＮ回線をＰＢＸコア網からＩＰ網に置き換えた場合の上記課題については考慮されていない。また、特許文献２に係る技術は、２つのＶｏＩＰゲートウェイ装置同士のやり取りである。しかし、通信の一方がＶｏＩＰゲートウェイ装置でなくＩＰＬＳである場合は考慮されていない。そのため、特許文献１及び２では上記課題を解決することはできない。
【００１１】
本発明は、このような問題点を解決するためになされたものであり、ＷＡＮ回線をＰＢＸコア網からＩＰ網に置き換えた場合に、通信呼ごとの音声の品質を容易に維持することができるゲートウェイ装置、ゲートウェイ装置の通信制御方法及び通信制御プログラムを提供することを目的とする。
【課題を解決するための手段】
【００１２】
本発明の第１の態様にかかるゲートウェイ装置は、
複数の通信拠点を含む第１通信網と、特定の通信拠点を含む第２通信網とに接続され、
指定された増減値に基づいて信号レベルの増減を行う信号増減部と、
受信した通信呼における前記第１通信網側の通信拠点を示す拠点情報に基づいて増減値を決定し、前記信号増減部に対して当該決定した増減値を指定して当該受信した通信呼を処理させる制御部と、
を備える。
【００１３】
本発明の第２の態様にかかるゲートウェイ装置は、
複数の通信拠点を含む第１通信網と、特定の通信拠点を含む第２通信網とに接続され、
複数の異なる増減値のいずれかが設定され、当該設定された増減値に基づいて信号レベルの増減を行う複数の信号増減部と、
受信した通信呼における前記第１通信網側の通信拠点を示す拠点情報に基づいて、前記複数の信号増減部のいずれかを選択し、当該選択した信号増減部を介して当該受信した通信呼を処理させる制御部と、
を備える。
【００１４】
本発明の第３の態様にかかるゲートウェイ装置の通信制御方法は、
複数の通信拠点を含む第１通信網と、特定の通信拠点を含む第２通信網とに接続され、
指定された増減値に基づいて信号レベルの増減を行う信号増減部を備えるゲートウェイ装置の通信制御方法であって、
前記第１通信網と前記第２通信網との間の通信呼を受信し、
前記受信した通信呼における前記第１通信網側の通信拠点を示す拠点情報に基づいて増減値を決定し、
前記信号増減部に対して当該決定した増減値を指定して当該受信した通信呼を処理させる。
【００１５】
本発明の第４の態様にかかるゲートウェイ装置の通信制御方法は、
複数の通信拠点を含む第１通信網と、特定の通信拠点を含む第２通信網とに接続され、
複数の異なる増減値のいずれかが設定され、当該設定された増減値に基づいて信号レベルの増減を行う複数の信号増減部を備えるゲートウェイ装置の通信制御方法であって、
前記第１通信網と前記第２通信網との間の通信呼を受信し、
前記受信した通信呼における前記第１通信網側の通信拠点を示す拠点情報に基づいて、前記複数の信号増減部のいずれかを選択し、
当該選択した信号増減部を介して当該受信した通信呼を処理させる。
【００１６】
本発明の第５の態様にかかる通信制御プログラムは、
複数の通信拠点を含む第１通信網と、特定の通信拠点を含む第２通信網とに接続され、
指定された増減値に基づいて信号レベルの増減を行う信号増減部を備えるコンピュータに対して、
前記第１通信網と前記第２通信網との間の通信呼を受信する処理と、
前記受信した通信呼における前記第１通信網側の通信拠点を示す拠点情報に基づいて増減値を決定し、前記信号増減部に対して当該決定した増減値を指定して当該受信した通信呼を処理させる制御処理と、
を実行させる。
【００１７】
本発明の第６の態様にかかる通信制御プログラムは、
複数の通信拠点を含む第１通信網と、特定の通信拠点を含む第２通信網とに接続され、
複数の異なる増減値のいずれかが設定され、当該設定された増減値に基づいて信号レベルの増減を行う複数の信号増減部を備えるコンピュータに対して、
前記第１通信網と前記第２通信網との間の通信呼を受信する処理と、
前記受信した通信呼における前記第１通信網側の通信拠点を示す拠点情報に基づいて、前記複数の信号増減部のいずれかを選択し、当該選択した信号増減部を介して当該受信した通信呼を処理させる制御処理と、
を実行させる。
【発明の効果】
【００１８】
本発明により、ＷＡＮ回線をＰＢＸコア網からＩＰ網に置き換えた場合に、通信呼ごとの音声の品質を容易に維持することができるゲートウェイ装置、ゲートウェイ装置の通信制御方法及び通信制御プログラムを提供することができる。
【図面の簡単な説明】
【００１９】
【図１】本発明の実施の形態１にかかるゲートウェイ装置の構成を示すブロック図である。
【図２】本発明の実施の形態１にかかる通信制御処理の流れを示すフローチャートである。
【図３】ＷＡＮ回線が既存のＰＢＸ網である場合の通信システムを説明するための図である。
【図４】本発明の実施の形態２にかかる通信システムの構成を示すブロック図である。
【図５】本発明の実施の形態２にかかるＶｏＩＰゲートウェイ装置の構成を示すブロック図である。
【図６】本発明の実施の形態２にかかる拠点情報と増減値の対応付けの例を説明するための図である。
【図７】本発明の実施の形態２にかかる回線交換網からＩＰ網への伝送処理の流れを示すフローチャートである。
【図８】本発明の実施の形態２にかかるＩＰ網から回線交換網への伝送処理の流れを示すフローチャートである。
【図９】本発明の実施の形態２にかかる通信システムの実用例を説明するための図である。
【図１０】本発明の実施の形態３にかかるゲートウェイ装置の構成を示すブロック図である。
【図１１】本発明の実施の形態３にかかる通信制御処理の流れを示すフローチャートである。
【図１２】本発明の実施の形態４にかかる拠点情報とゲイン調整部の対応付けの例を説明するための図である。
【発明を実施するための形態】
【００２０】
以下では、本発明を適用した具体的な実施の形態について、図面を参照しながら詳細に説明する。各図面において、同一要素には同一の符号が付されており、説明の明確化のため、必要に応じて重複説明は省略する。
【００２１】
＜発明の実施の形態１＞
図１は、本発明の実施の形態１にかかるゲートウェイ装置１の構成を示すブロック図である。ゲートウェイ装置１は、第１通信網Ｎ１と、第２通信網Ｎ２とに接続されている。ここで、第１通信網Ｎ１は、複数の通信拠点Ｂ１１、Ｂ１２、・・・、Ｂ１ｎを含む通信ネットワークである。また、第２通信網Ｎ２は、特定の通信拠点Ｂ２０を含む通信ネットワークである。そして、ゲートウェイ装置１は、第１通信網Ｎ１と第２通信網Ｎ２とのプロトコルを変換することにより、通信拠点Ｂ１１〜Ｂ１ｎのいずれかと、通信拠点Ｂ２０との間の通信呼Ｃ１及びＣ２を中継するものである。
【００２２】
ゲートウェイ装置１は、信号増減部１１と、制御部１２とを備える。信号増減部１１は、指定された増減値に基づいて信号レベルの増減を行う。つまり、信号増減部１１は、通信呼Ｃ１及び通信呼Ｃ２の信号レベルの増減を行う。また、制御部１２は、受信した通信呼Ｃ１又はＣ２における第１通信網Ｎ１側の通信拠点を示す拠点情報に基づいて増減値１３を決定し、信号増減部１１に対して当該決定した増減値１３を指定して当該受信した通信呼Ｃ１又はＣ２を処理させる。
【００２３】
図２は、本発明の実施の形態１にかかる通信制御処理の流れを示すフローチャートである。まず、ゲートウェイ装置１は、通信呼を受信する（Ｓ１１）。ここで、通信呼は、第１通信網Ｎ１と第２通信網Ｎ２との間の通信呼である。例えば、第１通信網Ｎ１から第２通信網Ｎ２への通信呼Ｃ１であるか、または、第２通信網Ｎ２から第１通信網Ｎ１への通信呼Ｃ２である。
【００２４】
次に、制御部１２は、拠点情報に基づき増減値１３を決定する（Ｓ１２）。具体的には、ゲートウェイ装置１においてステップＳ１１において受信された通信呼に含まれる拠点情報のうち、第１通信網Ｎ１側のものである。つまり、拠点情報は、通信呼Ｃ１の場合には発信元となる通信拠点Ｂ１１〜Ｂ１ｎのいずれかであり、通信呼Ｃ２の場合には着信先となる通信拠点Ｂ１１〜Ｂ１ｎのいずれかである。
【００２５】
そして、制御部１２は、決定した増減値１３を信号増減部１１に指定する（Ｓ１３）。その後、信号増減部１１は、指定された増減値１３に基づき通信呼Ｃ１又はＣ２を処理する（Ｓ１４）。
【００２６】
このように、本発明の実施の形態１では、受信した通信呼の拠点情報に基づいて適切な増減値を決定することができる。特に、第１通信網Ｎ１は、複数の拠点を含むＷＡＮ回線ということができる。そして、ＷＡＮ回線がＰＢＸコア網からＩＰ網に置き換わった場合には、元々、ＰＢＸコア網向けに拠点情報ごとに最適に調整されていたゲイン値等の増減値が、ＩＰ網においては不適切である場合もある。このような場合であっても、通信呼における拠点情報が第１通信網Ｎ１側の複数の通信拠点のいずれであるかに応じて、ＩＰ網における増減値を適切に決定することで、通信呼ごとの音声の品質を容易に維持することができる。
【００２７】
尚、関連技術にかかる音声ゲートウェイ装置は、一組のゲイン回路しか搭載していなかった。そして、当該ゲイン回路には、固定した一種類のゲイン値しか設定できなかった。そのため、複数の通信呼を処理すると、一部の通信拠点には合っていても、他拠点には合わない場合もあり得た。本発明の実施の形態１では、このような場合にも対応することができる。
【００２８】
＜発明の実施の形態２＞
上述したＶｏＩＰ化には以下（１）〜（３）に挙げるような制約や特質があり、その構築が非常に難しい。
【００２９】
（１）エコーが発生する点
電話において通話の阻害となる最大の要因として、ハイブリッド回路（２線、４線変換器）で発生するエコーがある。ここで、エコーとは、自分の声が交換機や相手の電話器で折り返してきて、自分の耳に遅れて届くことをいう。エコーは、伝送遅延が少ない既存のＰＢＸでは気にならないことが多い。それは、自分の声が帰ってきても、自分が話している声と時差が無いためである。しかし、伝送遅延が大きいＶｏＩＰでは、エコーがかなり遅れて帰ってくるため、通話の阻害要因になりやすい。
【００３０】
（２）レガシー交換機が残っている点
全ての電話器がＶｏＩＰ化によりＩＰ化され、ハイブリッド回路が完全デジタル化により使用されなくなれば、上述したエコーの問題は発生しない。しかし、実際には、コストの問題やＬＡＮなど通信設備の問題から、既存のＰＢＸと共用となり、また、電話機のところでハイブリッド回路が残っているという現実がある。
【００３１】
（３）レガシーＷＡＮ回線にはアナログ回線とデジタル回線が混在している点
既存のＰＢＸで利用されていたＷＡＮ回線は、アナログ専用線で代表されるようなアナログ回線やＨＳＤ（Ｈｉｇｈ  Ｓｕｐｅｒ  Ｄｉｇｉｔａｌ）で代表されるようなデジタル回線が存在している。必要回線数が少ない場合はアナログ回線を選択し、多くの回線が必要な場合は、ＨＳＤ回線を選択するなどされている。
【００３２】
アナログ回線とデジタル回線では、ＷＡＮ回線において各区間毎に減衰される量が異なる。よって、ＰＢＸ側では、実際に音声を聞いて音量を確認しつつ、交換機の音声送信及び受信レベルを調整している。しかし、この音量調整は難しく、調整が不十分であると、上述したエコーが発生してしまう。そこで、音量を確保しつつ、エコーが発生しないように、カットアンドトライの手探りで探す作業を実施することにより、調度良い設定値を行う必要がある。
【００３３】
図３は、ＷＡＮ回線が既存のＰＢＸ網である場合の通信システム９００を説明するための図である。通信システム９００は、拠点Ｂ１と拠点Ｂ２と拠点Ｂ３との双方向の通信を実現するものである。ここで、拠点Ｂ１には電話端末Ｔ１１及びＴ１２が含まれ、拠点Ｂ２には電話端末Ｔ２１及びＴ２２が含まれ、拠点Ｂ３には電話端末Ｔ３１及びＴ３２が含まれるものとする。そして、拠点Ｂ１、Ｂ２及びＢ３のそれぞれの内部は、既存のＰＢＸ網つまり回線交換網で接続されているものとする。
【００３４】
ここで、拠点Ｂ１側の中継交換機９１２と、拠点Ｂ２側の中継交換機９２２とはアナログ回線ＬＬ１２で接続されている。また、中継交換機９２２と、拠点Ｂ３側の中継交換機９３２とはデジタル回線ＬＬ２３で接続されている。さらに、中継交換機９３２と中継交換機９１２とはアナログ回線ＬＬ１３で接続されている。そのため、アナログ回線ＬＬ１２、デジタル回線ＬＬ２３及びアナログ回線ＬＬ１３によりＰＢＸ網ＮＬが形成されている。そして、ＰＢＸ網ＮＬは、アナログ回線及びデジタル回線が混在していることを示す。
【００３５】
そして、拠点Ｂ１内の電話端末Ｔ１１及びＴ１２は、ＬＳ（Ｌｏｃａｌ  Ｓｗｉｔｈ）９１１により接続され回線交換網を形成している。そして、ＬＳ９１１は、中継交換機９１２と接続されている。同様に、拠点Ｂ２内の電話端末Ｔ２１及びＴ２２は、ＬＳ９２１により接続され回線交換網を形成している。そして、ＬＳ９２１は、中継交換機９２２と接続されている。さらに、拠点Ｂ３内の電話端末Ｔ３１及びＴ３２は、ＬＳ９３１により接続され回線交換網を形成している。そして、ＬＳ９３１は、中継交換機９３２と接続されている。
【００３６】
ここで、拠点Ｂ１と拠点Ｂ２との通信ではアナログ回線ＬＬ１２を経由するため、"−４ｄＢ"の信号の劣化が生じる。また、拠点Ｂ１と拠点Ｂ３との通信ではアナログ回線ＬＬ１３を経由するため、"−６ｄＢ"の信号の劣化すなわち伝送損失が生じる。つまり、同じアナログ回線であっても、距離その他の様々な要因により劣化の度合いが異なる。しかも、このような信号劣化のレベル値は、実測により判明するものである。そのため、ＬＳ９１１内のＰＢＸには、通信拠点Ｂ２向けと拠点Ｂ３向けとの双方の通話に支障がでないように、カットアンドトライにより最適値に調整されたゲイン値が設定される。または、通信拠点Ｂ２向けと拠点Ｂ３向けとで異なるゲイン値が設定される。
【００３７】
また、拠点Ｂ２と拠点Ｂ３との通信ではデジタル回線ＬＬ２３を経由するため、信号の劣化は生じない。そのため、ＬＳ９２１やＬＳ９３１内のＰＢＸにおいても、各通信拠点との通話に支障がでないように調整されたゲイン値か、通信拠点ごとに異なるゲイン値の最適値が設定される。
【００３８】
ここで、図３の通信システム９００におけるＷＡＮ回線であるＰＢＸ網ＮＬをＩＰ網に置き換えた場合について説明する。この場合、ＷＡＮ回線が全てデジタル回線となるため、信号の伝送損失がゼロになる。また、このとき、拠点Ｂ３内は、ＩＰ化されるものとする。但し、上述の通り、経費や機能制約等から拠点Ｂ１やＢ２については既存のＰＢＸを用いた回線交換網が継続使用される。
【００３９】
ここで、既存のＰＢＸは回線交換という方式の交換機であるため、ＩＰ網を利用できない。既存のＰＢＸでＩＰ網を利用するためには、ＶｏＩＰゲートウェイ装置を用いる必要がある。ＶｏＩＰゲートウェイ装置を用いることで、既存の交換機をＶｏＩＰ網に接続することができる。
【００４０】
但し、上述した通り、既存のＰＢＸにはＰＢＸ網ＮＬを前提として最適値が設定済みである。つまり、通信拠点ごとに信号損失を見込んでゲイン値が調整されている。そのため、ＷＡＮ回線がＩＰ網に置き換わると、信号損失がなくなり、かつ、信号遅延が発生するため、そのままのゲイン値を用いると従来と比べて通話の阻害要因が生じる。そこで、ＩＰ網を前提としてＰＢＸのゲイン値を再設定することもできるが、上述の通り作業量が膨大で実現が困難である。
【００４１】
そのため、既にＰＢＸに設定済みのゲイン値を前提に、これを打ち消すようなゲイン値をＶｏＩＰゲートウェイ装置側に設定することで、結果的に通話の阻害要因を除去できると考えられる。しかし、既存のＶｏＩＰゲートウェイ装置は、ゲイン値の設定が一種類のみで固定的にしか行えなかった。つまり、複数の異なる通信拠点毎に異なるゲイン値の設定ができなかった。そのため、通話の阻害要因を十分に除去できなかった。
【００４２】
本発明の実施の形態２は、このような状況を対象としたものであり、上述した発明の実施の形態１の一実施例である。つまり、自己の拠点と通信を行う相手側の通信拠点に応じたゲイン値を予め通信拠点と対応付けて登録しておく。そして、通信呼に含まれる相手側の通信拠点に基づいて対応付けられたゲイン値を選択し、ゲイン調整部にゲイン値を指定して信号レベルの増減を行わせる。これにより、ＰＢＸコア網において長年の試行錯誤により通信拠点ごとに最適に調整されたＰＢＸの設定値を変更せず、通信拠点に応じた最適な通信を提供できる。
【００４３】
図４は、本発明の実施の形態２にかかる通信システム２００の構成を示すブロック図である。通信システム２００は、拠点Ｂ１と拠点Ｂ２と拠点Ｂ３との双方向の通信を実現するものである。ここで、拠点Ｂ１には電話端末Ｔ１１及びＴ１２が含まれ、拠点Ｂ２には電話端末Ｔ２１及びＴ２２が含まれ、拠点Ｂ３にはＩＰ電話端末Ｔ３１Ｉ及びＴ３２Ｉが含まれるものとする。そして、拠点Ｂ１及びＢ２内では、既存のＰＢＸ網つまり回線交換網であるものとする。一方、拠点Ｂ３内は、ＩＰ網に置き換わっているものとする。さらに、拠点Ｂ１、Ｂ２及びＢ３の間のＷＡＮ回線が既存のＰＢＸコア網からＩＰ網ＮＥに置き換わったものとする。
【００４４】
ここで、拠点Ｂ１側の中継交換機２１３と、拠点Ｂ２側の中継交換機２２３とはイーサネット回線ＬＥ１２で接続されている。また、中継交換機２２３と、拠点Ｂ３側の中継交換機２３３とはイーサネット回線ＬＥ２３で接続されている。さらに、中継交換機２２３と中継交換機２１３とはイーサネット回線ＬＥ１３で接続されている。
【００４５】
そして、拠点Ｂ１内の電話端末Ｔ１１及びＴ１２は、ＬＳ２１１により接続され回線交換網を形成している。そして、ＬＳ２１１と中継交換機２１３とは、本発明の実施の形態２にかかるＶｏＩＰゲートウェイ装置２１２により接続されている。つまり、ＶｏＩＰゲートウェイ装置２１２は、回線交換網とＩＰ網とに接続されており、それぞれのプロトコルを変換するものである。言い換えると、ＶｏＩＰゲートウェイ装置２１２は、複数の拠点Ｂ２及びＢ３を含むＩＰ網と、特定の拠点Ｂ１を含む回線交換網とに接続されている。
【００４６】
同様に、拠点Ｂ２内の電話端末Ｔ２１及びＴ２２は、ＬＳ２２１により接続され回線交換網を形成している。そして、ＬＳ２２１と中継交換機２２３とは、本発明の実施の形態２にかかるＶｏＩＰゲートウェイ装置２２２により接続されている。尚、ＬＳ２１１及び２２１にはＰＢＸが含まれ、それぞれＷＡＮ回線がＰＢＸコア網であったときのゲイン値が設定済みであるものとする。
【００４７】
また、拠点Ｂ３内のＩＰ電話端末Ｔ３１Ｉ及びＴ３２Ｉは、ＩＰＬＳ２３１により接続されＩＰ網を形成している。そして、ＩＰＬＳ２３１と中継交換機２３３とはいずれもＩＰ網に接続されているため、そのまま接続される。
【００４８】
図５は、本発明の実施の形態２にかかるＶｏＩＰゲートウェイ装置３０の構成を示すブロック図である。尚、ＶｏＩＰゲートウェイ装置３０は、ＶｏＩＰゲートウェイ装置２１２及び２２２のいずれにも用いることができる。
【００４９】
ＶｏＩＰゲートウェイ装置３０は、ＩＰ網ＮＥ１と回線交換網ＮＬ２とに接続されている。例えば、ＶｏＩＰゲートウェイ装置３０がＶｏＩＰゲートウェイ装置２１２の場合、ＩＰ網ＮＥ１はＩＰ網ＮＥであり、回線交換網ＮＬ２は、拠点Ｂ１における回線交換網である。
【００５０】
ＶｏＩＰゲートウェイ装置３０は、ＩＰ網ＮＥ１から通信呼ＣＥを受信し、信号レベルの増減やプロトコル変更等を行い通信呼ＣＬとして回線交換網ＮＬ２へ送信する。また、ＶｏＩＰゲートウェイ装置３０は、回線交換網ＮＬ２から通信呼ＣＬを受信し、信号レベルの増減やプロトコル変更等を行い通信呼ＣＥとしてＩＰ網ＮＥ１へ送信する。ＮＬ１へ送信する。通信呼ＣＥは、ＩＰプロトコルに基づきＩＰパケット化されている。また、通信呼ＣＬは、レガシーインタフェースである回線交換網に基づきフレーム化されている。
【００５１】
ＶｏＩＰゲートウェイ装置３０は、パケット部３１と、ゲイン調整部３２１１、３２１２、・・・、３２１ｎ及び３２２１、３２２２、・・・、３２２ｎと、ＣＯＤＥＣ部３３と、インタフェース部３４と、ゲイン調整統制部３５と、記憶部３６とを備える。
【００５２】
記憶部３６は、複数の通信拠点のそれぞれを示す拠点情報と複数の増減値であるゲイン値とを対応付けて予め記憶する記憶装置である。図６は、本発明の実施の形態２にかかる拠点情報と増減値の対応付けの例を説明するための図である。図６は、ＶｏＩＰゲートウェイ装置２２２における拠点情報と増減値の対応付けの例である。つまり、ＶｏＩＰゲートウェイ装置２２２が受信する通信呼における拠点情報の一方は、常に拠点Ｂ２となるため、他方の通信拠点である拠点Ｂ１及びＢ３についてのゲイン値が設定されていることを示す。尚、記憶部３６に記憶されるデータの例はこれに限定されない。
【００５３】
パケット部３１は、受信したＩＰパケットをゲイン調整部３２１１〜３２１ｎへ伝送する。また、パケット部３１は、ゲイン調整部３２２１〜３２２ｎから伝送された信号をＩＰパケット化して、ＩＰ網ＮＥ１へ送信する。具体的には、パケット部３１は、着信先のＩＰアドレスの付与及び音声データのパケット化等を行う。また、パケット部３１は、ＩＰ網ＮＥ１から通信呼ＣＥを受信し、当該受信した通信呼ＣＥにおける発信元である通信拠点を拠点情報として抽出してゲイン調整統制部３５へ通知する。
【００５４】
ゲイン調整部３２１１〜３２１ｎ及び３２２１〜３２２ｎは、図１の信号増減部１１の一実施例であり、ゲイン調整統制部３５により指定されたゲイン値に基づいて信号レベルの増減を行う。具体的には、各ゲイン調整部は、音声レベルのコントロールを実施し、音声の音量を増減する。ここでは、ゲイン調整部３２１１〜３２１ｎは、パケット部３１から受け付けた通信呼ＣＥの信号レベルの増減を行い、ＣＯＤＥＣ部３３へ伝送する。また、ゲイン調整部３２２１〜３２２ｎは、ＣＯＤＥＣ部３３から受け付けた通信呼ＣＬの信号レベルの増減を行い、パケット部３１へ伝送する。
【００５５】
ＣＯＤＥＣ部３３は、レガシーインタフェースがアナログである場合、アナログ音声をデジタル化する。すなわち、ＣＯＤＥＣ部３３は、インタフェース部３４から受け付けた通信呼ＣＬがアナログデータの場合、デジタルデータへ変換してゲイン調整部３２２１〜３２２ｎへ伝送する。また、ＣＯＤＥＣ部３３は、ゲイン調整部３２１１〜３２１ｎから受け付けた増減後の通信呼ＣＥをインタフェース部３４へ伝送する。
【００５６】
インタフェース部３４は、レガシーインタフェースの終端となるものである。例えば、回線交換網ＮＬ２がアナログ回線と２Ｍインタフェースのデジタル回線等の多重回線である場合、通信呼ごとに分解する。すなわち、インタフェース部３４は、回線交換網ＮＬ２から受信したアナログ信号をＣＯＤＥＣ部３３へ伝送する。また、インタフェース部３４は、ＣＯＤＥＣ部３３〜伝送された信号をフレーム化して、回線交換網ＮＬ２へ送信する。また、インタフェース部３４は、回線交換網ＮＬ２から通信呼ＣＬを受信し、当該受信した通信呼ＣＬにおける着信先である通信拠点を拠点情報として抽出してゲイン調整統制部３５へ通知する。
【００５７】
ゲイン調整統制部３５は、パケット部３１又はインタフェース部３４から拠点情報を受け付け、記憶部３６を参照して、受信した通信呼における拠点情報に対応付けられたゲイン値を決定する。そして、ゲイン調整統制部３５は、パケット部３１が通信呼ＣＥを受信した場合には、ゲイン調整部３２１１〜３２１ｎのいずれかを選択して決定したゲイン値を設定する。一方、ゲイン調整統制部３５は、インタフェース部３４が通信呼ＣＬを受信した場合には、ゲイン調整部３２２１〜３２２ｎのいずれかを選択して決定したゲイン値を設定する。このとき、ゲイン調整統制部３５は、信号の伝送に用いられていないゲイン調整部を選択するものとする。尚、ゲイン調整部の選択の仕方は、任意のルールに基づいて又はランダムに行われれば良い。つまり、通信呼ＣＥの信号レベルを増減するのは、ゲイン調整部３２１１〜３２１ｎのいずれかのみであればよく、同様に、通信呼ＣＬの信号レベルを増減するのは、ゲイン調整部３２２１〜３２２ｎのいずれかのみであればよい。
【００５８】
言い換えると、ゲイン調整統制部３５は、第１の通信呼を処理中に第２の通信呼を受信した場合に、第２の通信呼における拠点情報に基づいてゲイン値を決定し、複数のゲイン調整部の中から当該第１の通信呼の処理に用いられたゲイン調整部以外のゲイン調整部を選択し、当該選択したゲイン調整部に対して当該決定したゲイン値を指定して当該第２の通信呼を処理させる。これにより、複数の異なる通信拠点との間で同時に複数の通信呼を中継する場合に、通信拠点ごとに異なるゲイン値を用いて信号レベルの増減を行うことができる。よって、いずれの通信拠点に対しても最適な信号レベルで通信することができる。
【００５９】
図７は、本発明の実施の形態２にかかる回線交換網からＩＰ網への伝送処理の流れを示すフローチャートである。ここでは、ＶｏＩＰゲートウェイ装置３０はＶｏＩＰゲートウェイ装置２２２であり、拠点Ｂ２内の電話端末Ｔ２２から拠点Ｂ１内の電話端末Ｔ１１への通信呼ＣＬが発信されたものとする。
【００６０】
まず、インタフェース部３４は、回線交換網ＮＬ２から通信呼ＣＬを受信する（Ｓ２１）。次に、インタフェース部３４は、通信呼ＣＬのフレームを分解して拠点情報を抽出する（Ｓ２２）。ここでは、インタフェース部３４は、通信呼ＣＬに含まれる着信先を示す通信拠点Ｂ１の識別情報を拠点情報として抽出する。そして、インタフェース部３４は、抽出した拠点情報をゲイン調整統制部３５へ通知する。
【００６１】
また、インタフェース部３４は、通信呼ＣＬをＣＯＤＥＣ部３３に伝送する。そして、ＣＯＤＥＣ部３３は、通信呼ＣＬをＡＤ変換する（Ｓ２３）。ここでは、アナログ信号からデジタル信号へ変換される。その後、ＣＯＤＥＣ部３３は、ゲイン調整部３２２１〜３２２ｎへ変換後の通信呼ＣＬを伝送する。
【００６２】
ステップＳ２３と並行して、ゲイン調整統制部３５は、拠点情報に基づきゲイン値を決定する（Ｓ２４）。具体的には、ゲイン調整統制部３５は、拠点情報である拠点Ｂ１に対応付けられたゲイン値"−４ｄＢ"を記憶部３６から読み出す。また、ゲイン調整統制部３５は、ゲイン調整部３２２１〜３２２ｎの中から通信呼ＣＬの信号増減に用いるゲイン調整部を選択する。そして、ゲイン調整統制部３５は、選択されたゲイン調整部にゲイン値を設定する（Ｓ２５）。ここでは、ゲイン調整部３２２１が選択され、かつ、ゲイン値が設定されたものとする。
【００６３】
そして、ゲイン調整部３２２１は、設定されたゲイン値に基づき信号を増減する（Ｓ２６）。つまり、ゲイン調整部３２２１は、ＣＯＤＥＣ部３３から伝送された通信呼ＣＬについてゲイン値"−４ｄＢ"に応じて信号レベルの増減を行う。そして、ゲイン調整部３２２１は、増減後の信号をパケット部３１へ伝送する。
【００６４】
パケット部３１は、ゲイン調整部３２２１から伝送された信号をＩＰパケット化する（Ｓ２７）。そして、パケット部３１は、ＩＰパケット化済みの信号をＩＰ網ＮＥ１へ送信する（Ｓ２８）。ここでは、パケット部３１は、拠点Ｂ１の電話端末Ｔ１１へ送信することとなる。
【００６５】
尚、ＶｏＩＰゲートウェイ装置２２２は、電話端末Ｔ２２と電話端末Ｔ１１との第１の通信呼の処理中に、電話端末Ｔ２１とＩＰ電話端末Ｔ３１Ｉとの第２の通信呼を受信した場合に、第２の通信呼における拠点情報Ｂ３に基づいてゲイン値を決定する。そして、ＶｏＩＰゲートウェイ装置２２２は、ゲイン調整部３２２１〜３２２ｎの中から第１の通信呼の処理に用いられたゲイン調整部３２２１以外のゲイン調整部３２２２を選択し、当該選択したゲイン調整部３２２２に対して当該決定したゲイン値を指定して当該第２の通信呼を処理させる。
【００６６】
図８は、本発明の実施の形態２にかかるＩＰ網から回線交換網への伝送処理の流れを示すフローチャートである。ここでは、ＶｏＩＰゲートウェイ装置３０はＶｏＩＰゲートウェイ装置２２２であり、拠点Ｂ３内のＩＰ電話端末Ｔ３２から拠点Ｂ２内の電話端末Ｔ２１への通信呼ＣＥが発信されたものとする。
【００６７】
まず、パケット部３１は、ＩＰ網ＮＥ１から通信呼ＣＥを受信する（Ｓ３１）。次に、パケット部３１は、通信呼ＣＥのＩＰパケットを分解して拠点情報を抽出する（Ｓ３２）。ここでは、パケット部３１は、通信呼ＣＥに含まれる発信元を示す通信拠点Ｂ３の識別情報を拠点情報として抽出する。そして、パケット部３１は、抽出した拠点情報をゲイン調整統制部３５へ通知する。また、パケット部３１は、ゲイン調整部３２１１〜３２１ｎへ通信呼ＣＥを伝送する。
【００６８】
そして、ゲイン調整統制部３５は、拠点情報に基づきゲイン値を決定する（Ｓ３３）。具体的には、ゲイン調整統制部３５は、拠点情報である拠点Ｂ３に対応付けられたゲイン値"０ｄＢ"を記憶部３６から読み出す。また、ゲイン調整統制部３５は、ゲイン調整部３２１１〜３２１ｎの中から通信呼ＣＥの信号増減に用いるゲイン調整部を選択する。そして、ゲイン調整統制部３５は、選択されたゲイン調整部にゲイン値を設定する（Ｓ３４）。ここでは、ゲイン調整部３２１１が選択され、かつ、ゲイン値が設定されたものとする。
【００６９】
そして、ゲイン調整部３２１１は、設定されたゲイン値に基づき信号を増減する（Ｓ３５）。つまり、ゲイン調整部３２１１は、パケット部３１から伝送された通信呼ＣＥについてゲイン値"０ｄＢ"に応じて信号レベルの増減を行う。そして、ゲイン調整部３２１１は、増減後の信号をＣＯＤＥＣ部３３へ伝送する。
【００７０】
そして、ＣＯＤＥＣ部３３は、ゲイン調整部３２１１から伝送された通信呼ＣＥをＡＤ変換する（Ｓ３６）。ここでは、デジタル信号からアナログ信号へ変換される。その後、ＣＯＤＥＣ部３３は、インタフェース部３４へ変換後の通信呼ＣＥを伝送する。
【００７１】
インタフェース部３４は、ＣＯＤＥＣ部３３から伝送された信号をフレーム化する（Ｓ３７）。そして、インタフェース部３４は、フレーム化済みの信号を回線交換網ＮＬ２へ送信する（Ｓ３８）。
【００７２】
図９は、本発明の実施の形態２にかかる通信システム２００の実用例を説明するための図である。ＶｏＩＰゲートウェイ装置２１２には、対拠点Ｂ３向けのゲイン値として設定情報Ａ１が設定され、ＶｏＩＰゲートウェイ装置２２２には、対拠点Ｂ１及び対拠点Ｂ３のそれぞれ向けのゲイン値として設定情報Ａ２が設定されていることを示す。
【００７３】
すなわち、図３のアナログ回線ＬＬ１３において生じていた信号損失"−６ｄＢ"を考慮してＬＳ２１１では"＋５ｄＢ"が設定されている。ここで、アナログ回線ＬＬ１３がイーサネット回線ＬＥ１３に置き換わったことにより、つまり、ＷＡＮ回線がＰＢＸコア網からＩＰ網に置き換わったことにより、信号損失が生じなくなったが、ＬＳ２１１の設定は維持されている。そこで、ＶｏＩＰゲートウェイ装置２１２の設定情報Ａ１として、アナログ回線ＬＬ１３において生じていた信号損失"−６ｄＢ"を模擬するゲイン値を設定する。これにより、結果的にＬＳ２１１とＶｏＩＰゲートウェイ装置２１２とのゲイン値の相殺により、ＩＰ網への置き換え前の状態と同等の通信品質を維持できる。
【００７４】
そして、例えば、ＶｏＩＰゲートウェイ装置２２２の設定情報Ａ２のように複数の通信拠点ごとに異なるゲイン値を設定しておくことで、通信拠点ごとの通信品質を維持することができる。
【００７５】
＜発明の実施の形態３＞
図１０は、本発明の実施の形態３にかかるゲートウェイ装置４の構成を示すブロック図である。ゲートウェイ装置４は、図１のゲートウェイ装置１と同様に、第１通信網Ｎ１と、第２通信網Ｎ２とに接続されている。
【００７６】
ゲートウェイ装置４は、信号増減部４１１、４１２、・・・、４１ｎと、制御部４２とを備える。信号増減部４１１〜４１ｎは、複数の異なる増減値のいずれかが設定され、当該設定された増減値に基づいて信号レベルの増減を行う。また、制御部４２は、受信した通信呼Ｃ１又はＣ２における第１通信網Ｎ１側の通信拠点を示す拠点情報に基づいて、複数の信号増減部４１１〜４１ｎのいずれかを選択し、当該選択した信号増減部を介して当該受信した通信呼Ｃ１又はＣ２を処理させる。
【００７７】
図１１は、本発明の実施の形態３にかかる通信制御処理の流れを示すフローチャートである。まず、ゲートウェイ装置４は、通信呼を受信する（Ｓ４１）。次に、制御部１２は、受信された通信呼に含まれる拠点情報に基づき信号増減部を選択する（Ｓ４２）。そして、選択された信号増減部は、設定済みの増減値に基づいて通信呼を処理する（Ｓ４３）。
【００７８】
このように、本発明の実施の形態３では、予め複数の信号増減部に異なる増減値を設定しておくことで、通信拠点に応じて適切な増減値が設定された信号増減部を選択するものである。これにより、上述した実施の形態１と同等の効果を奏することができる。
【００７９】
＜発明の実施の形態４＞
本発明の実施の形態４は、上述した実施の形態２にかかるＶｏＩＰゲートウェイ装置３０におけるゲイン調整部３２１１〜３２１ｎ及び３２２１〜３２２ｎのそれぞれに、予めゲイン値を設定しておき、実施の形態３と同様に、拠点情報に応じてゲイン調整部を選択するものである。そのために、記憶部３６には、拠点情報とゲイン調整部の対応付けた情報を記憶するものである。尚、その他の構成及び機能については、実施の形態２と同等であるため、詳細な説明及び図示を省略する。
【００８０】
図１２は、本発明の実施の形態４にかかる拠点情報とゲイン調整部の対応付けの例を説明するための図である。図１２は、ＶｏＩＰゲートウェイ装置２２２における拠点情報と増減値の対応付けの例である。例えば、ゲイン調整部３２１１〜３２１ｎがＩＰ網ＮＥから拠点Ｂ２内への通信呼を処理するため、"Ｇ１２"がゲイン調整部３２１１を示し、"Ｇ３２"がゲイン調整部３２１２を示すといったことになる。同様に、ゲイン調整部３２２１〜３２２ｎが拠点Ｂ２内からＩＰ網ＮＥへの通信呼を処理するため、"Ｇ１１"がゲイン調整部３２２１を示し、"Ｇ３１"がゲイン調整部３２２２を示すといったことになる。
【００８１】
そして、実施の形態４にかかるゲイン調整統制部３５は、記憶部３６を参照して、受信した通信呼における拠点情報に対応付けられたゲイン調整部を選択する。これにより、実施の形態２と同等の効果を奏することができる。さらに、実施の形態４にかかるゲイン調整統制部３５は、第１の通信呼を処理中に第２の通信呼を受信した場合に、第２の通信呼における拠点情報に基づいて複数の信号増減部の中から当該第１の通信呼の処理に用いられたゲイン調整部以外のゲイン調整部を選択し、当該選択したゲイン調整部を介して当該第２の通信呼を処理させる。これにより、複数の通信呼を並列に処理する際にも通信拠点に応じて適切なゲイン値により信号レベルを増減させることができ、信号品質を維持できる。
【００８２】
＜その他の発明の実施の形態＞
尚、本発明は、音声通信分野に利用できる。特に、既存のＰＢＸ網からＶｏＩＰ網に切り替える場面において、利用できる。そして、本発明の実施の形態１乃至４は、多ゲイン設定型のＶｏＩＰゲートウェイ装置と呼ぶことができる。
【００８３】
本発明の実施の形態にかかるＶｏＩＰゲートウェイ装置では、複数のゲイン回路を保有し、対拠点ごと設定できるようになっている。また、通信呼毎に宛先情報をピックアップし、予め外部から設定されているゲイン設定値となるようにゲイン調整部をコントロールするゲイン調整統制部を持つことで、通信呼毎に対拠点に最適なゲインを自動調整することができる。これまでのＶｏＩＰ化では、既存のＰＢＸの設定を最初からやり直すか、ＩＰ網に置き換えたことにより発生してしまったエコーを我慢するかしか無かった。しかし、本発明の実施の形態では、既存のＰＢＸコア網における伝送損失をそのまま模擬でき、ＰＢＸの設定変更を不要とすることができる。その上で、既存の音声環境そのままを容易に実現することができるようになる。
【００８４】
さらに、本発明は上述した実施の形態のみに限定されるものではなく、既に述べた本発明の要旨を逸脱しない範囲において種々の変更が可能であることは勿論である。例えば、上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。
【００８５】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、ＤＶＤ（Digital Versatile Disc）、ＢＤ(Blu-ray(登録商標) Disc)、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８６】
上記の実施形態の一部又は全部は、以下の付記のようにも記載され得るが、以下には限られない。
【００８７】
（付記１）
複数の通信拠点を含む第１通信網と、特定の通信拠点を含む第２通信網とに接続され、
指定された増減値に基づいて信号レベルの増減を行う信号増減部と、
受信した通信呼における前記第１通信網側の通信拠点を示す拠点情報に基づいて増減値を決定し、前記信号増減部に対して当該決定した増減値を指定して当該受信した通信呼を処理させる制御部と、
を備えるゲートウェイ装置。
【００８８】
（付記２）
前記複数の通信拠点のそれぞれを示す拠点情報と複数の前記増減値とを対応付けて予め記憶する記憶部をさらに備え、
前記制御部は、前記記憶部を参照して、前記受信した通信呼における前記拠点情報に対応付けられた増減値を決定する
ことを特徴とする付記１に記載のゲートウェイ装置。
【００８９】
（付記３）
前記ゲートウェイ装置は、複数の前記信号増減部を備え、
前記制御部は、
第１の通信呼を処理中に第２の通信呼を受信した場合に、前記第２の通信呼における前記拠点情報に基づいて増減値を決定し、前記複数の信号増減部の中から当該第１の通信呼の処理に用いられた信号増減部以外の信号増減部を選択し、当該選択した信号増減部に対して当該決定した増減値を指定して当該第２の通信呼を処理させる
ことを特徴とする付記１又は２に記載のゲートウェイ装置。
【００９０】
（付記４）
前記第１通信網から前記通信呼を受信し、当該受信した通信呼における発信元である通信拠点を前記拠点情報として抽出して前記制御部へ通知する第１受信部と、
前記第２通信網から前記通信呼を受信し、当該受信した通信呼における着信先である通信拠点を前記拠点情報として抽出して前記制御部へ通知する第２受信部と、
をさらに備えることを特徴とする付記１乃至３のいずれか１項に記載のゲートウェイ装置。
【００９１】
（付記５）
前記第１通信網はパケット交換網であり、前記第２通信網は回線交換網である
ことを特徴とする付記１乃至４のいずれか１項に記載のゲートウェイ装置。
【００９２】
（付記６）
複数の通信拠点を含む第１通信網と、特定の通信拠点を含む第２通信網とに接続され、
複数の異なる増減値のいずれかが設定され、当該設定された増減値に基づいて信号レベルの増減を行う複数の信号増減部と、
受信した通信呼における前記第１通信網側の通信拠点を示す拠点情報に基づいて、前記複数の信号増減部のいずれかを選択し、当該選択した信号増減部を介して当該受信した通信呼を処理させる制御部と、
を備えるゲートウェイ装置。
【００９３】
（付記７）
前記複数の通信拠点のそれぞれを示す拠点情報と前記複数の信号増減部とを対応付けて予め記憶する記憶部をさらに備え、
前記制御部は、前記記憶部を参照して、前記受信した通信呼における前記拠点情報に対応付けられた信号増減部を選択する
ことを特徴とする付記６に記載のゲートウェイ装置。
【００９４】
（付記８）
前記制御部は、
第１の通信呼を処理中に第２の通信呼を受信した場合に、前記第２の通信呼における前記拠点情報に基づいて前記複数の信号増減部の中から当該第１の通信呼の処理に用いられた信号増減部以外の信号増減部を選択し、当該選択した信号増減部を介して当該第２の通信呼を処理させる
ことを特徴とする付記６又は７に記載のゲートウェイ装置。
【００９５】
（付記９）
前記第１通信網から前記通信呼を受信し、当該受信した通信呼における発信元である通信拠点を前記拠点情報として抽出して前記制御部へ通知する第１受信部と、
前記第２通信網から前記通信呼を受信し、当該受信した通信呼における着信先である通信拠点を前記拠点情報として抽出して前記制御部へ通知する第２受信部と、
をさらに備えることを特徴とする付記６乃至８のいずれか１項に記載のゲートウェイ装置。
【００９６】
（付記１０）
前記第１通信網はパケット交換網であり、前記第２通信網は回線交換網である
ことを特徴とする付記６乃至９のいずれか１項に記載のゲートウェイ装置。
【００９７】
（付記１１）
複数の通信拠点を含む第１通信網と、特定の通信拠点を含む第２通信網とに接続され、
指定された増減値に基づいて信号レベルの増減を行う信号増減部を備えるゲートウェイ装置の通信制御方法であって、
前記第１通信網と前記第２通信網との間の通信呼を受信し、
前記受信した通信呼における前記第１通信網側の通信拠点を示す拠点情報に基づいて増減値を決定し、
前記信号増減部に対して当該決定した増減値を指定して当該受信した通信呼を処理させる
ゲートウェイ装置の通信制御方法。
【００９８】
（付記１２）
前記ゲートウェイ装置は、複数の前記信号増減部を備え、
第１の通信呼を処理中に第２の通信呼を受信した場合に、前記第２の通信呼における前記拠点情報に基づいて増減値を決定し、
前記複数の信号増減部の中から当該第１の通信呼の処理に用いられた信号増減部以外の信号増減部を選択し、
当該選択した信号増減部に対して当該決定した増減値を指定して当該第２の通信呼を処理させる
ことを特徴とする付記１１に記載のゲートウェイ装置の通信制御方法。
【００９９】
（付記１３）
前記第１通信網から前記通信呼を受信した場合に、当該受信した通信呼における発信元である通信拠点を前記拠点情報として抽出し、
前記第２通信網から前記通信呼を受信した場合に、当該受信した通信呼における着信先である通信拠点を前記拠点情報として抽出する
ことを特徴とする付記１１又は１２に記載のゲートウェイ装置の通信制御方法。
【０１００】
（付記１４）
複数の通信拠点を含む第１通信網と、特定の通信拠点を含む第２通信網とに接続され、
複数の異なる増減値のいずれかが設定され、当該設定された増減値に基づいて信号レベルの増減を行う複数の信号増減部を備えるゲートウェイ装置の通信制御方法であって、
前記第１通信網と前記第２通信網との間の通信呼を受信し、
前記受信した通信呼における前記第１通信網側の通信拠点を示す拠点情報に基づいて、前記複数の信号増減部のいずれかを選択し、
当該選択した信号増減部を介して当該受信した通信呼を処理させる
ゲートウェイ装置の通信制御方法。
【０１０１】
（付記１５）
第１の通信呼を処理中に第２の通信呼を受信した場合に、前記第２の通信呼における前記拠点情報に基づいて前記複数の信号増減部の中から当該第１の通信呼の処理に用いられた信号増減部以外の信号増減部を選択し、
当該選択した信号増減部を介して当該第２の通信呼を処理させる
ことを特徴とする付記１４に記載のゲートウェイ装置の通信制御方法。
【０１０２】
（付記１６）
前記第１通信網から前記通信呼を受信した場合に、当該受信した通信呼における発信元である通信拠点を前記拠点情報として抽出し、
前記第２通信網から前記通信呼を受信した場合に、当該受信した通信呼における着信先である通信拠点を前記拠点情報として抽出する
ことを特徴とする付記１４又は１５に記載のゲートウェイ装置の通信制御方法。
【０１０３】
（付記１７）
複数の通信拠点を含む第１通信網と、特定の通信拠点を含む第２通信網とに接続され、
指定された増減値に基づいて信号レベルの増減を行う信号増減部を備えるコンピュータに対して、
前記第１通信網と前記第２通信網との間の通信呼を受信する処理と、
前記受信した通信呼における前記第１通信網側の通信拠点を示す拠点情報に基づいて増減値を決定し、前記信号増減部に対して当該決定した増減値を指定して当該受信した通信呼を処理させる制御処理と、
を実行させる通信制御プログラム。
【０１０４】
（付記１８）
前記コンピュータは、複数の前記信号増減部を備え、
前記制御処理は、
第１の通信呼を処理中に第２の通信呼を受信した場合に、前記第２の通信呼における前記拠点情報に基づいて増減値を決定し、
前記複数の信号増減部の中から当該第１の通信呼の処理に用いられた信号増減部以外の信号増減部を選択し、
当該選択した信号増減部に対して当該決定した増減値を指定して当該第２の通信呼を処理させる
ことを特徴とする付記１７に記載の通信制御プログラム。
【０１０５】
（付記１９）
前記制御処理は、
前記第１通信網から前記通信呼を受信した場合に、当該受信した通信呼における発信元である通信拠点を前記拠点情報として抽出し、
前記第２通信網から前記通信呼を受信した場合に、当該受信した通信呼における着信先である通信拠点を前記拠点情報として抽出する
ことを特徴とする付記１７又は１８に記載の通信制御プログラム。
【０１０６】
（付記２０）
複数の通信拠点を含む第１通信網と、特定の通信拠点を含む第２通信網とに接続され、
複数の異なる増減値のいずれかが設定され、当該設定された増減値に基づいて信号レベルの増減を行う複数の信号増減部を備えるコンピュータに対して、
前記第１通信網と前記第２通信網との間の通信呼を受信する処理と、
前記受信した通信呼における前記第１通信網側の通信拠点を示す拠点情報に基づいて、前記複数の信号増減部のいずれかを選択し、当該選択した信号増減部を介して当該受信した通信呼を処理させる制御処理と、
を実行させる通信制御プログラム。
【０１０７】
（付記２１）
前記制御処理は、
第１の通信呼を処理中に第２の通信呼を受信した場合に、前記第２の通信呼における前記拠点情報に基づいて前記複数の信号増減部の中から当該第１の通信呼の処理に用いられた信号増減部以外の信号増減部を選択し、
当該選択した信号増減部を介して当該第２の通信呼を処理させる
ことを特徴とする付記２０に記載の通信制御プログラム。
【０１０８】
（付記２２）
前記制御処理は、
前記第１通信網から前記通信呼を受信した場合に、当該受信した通信呼における発信元である通信拠点を前記拠点情報として抽出し、
前記第２通信網から前記通信呼を受信した場合に、当該受信した通信呼における着信先である通信拠点を前記拠点情報として抽出する
ことを特徴とする付記２０又は２１に記載の通信制御プログラム。
【符号の説明】
【０１０９】
１  ゲートウェイ装置
１１  信号増減部
１２  制御部
１３  増減値
Ｎ１  第１通信網
Ｂ１１  通信拠点
Ｂ１２  通信拠点
Ｂ１ｎ  通信拠点
Ｎ２  第２通信網
Ｂ２０  通信拠点
Ｃ１  通信呼
Ｃ２  通信呼
Ｂ１  拠点
Ｔ１１  電話端末
Ｔ１２  電話端末
Ｂ２  拠点
Ｔ２１  電話端末
Ｔ２２  電話端末
Ｂ３  拠点
Ｔ３１  電話端末
Ｔ３２  電話端末
Ｔ３１Ｉ  ＩＰ電話端末
Ｔ３２Ｉ  ＩＰ電話端末
２００  通信システム
２１１  ＬＳ
２１２  ＶｏＩＰゲートウェイ装置
２１３  中継交換機
２２１  ＬＳ
２２２  ＶｏＩＰゲートウェイ装置
２２３  中継交換機
２３１  ＩＰＬＳ
２３３  中継交換機
ＮＥ  ＩＰ網
ＬＥ１２  イーサネット回線
ＬＥ１３  イーサネット回線
ＬＥ２３  イーサネット回線
ＮＥ１  ＩＰ網
ＮＬ２  回線交換網
ＣＥ  通信呼
ＣＬ  通信呼
３０  ＶｏＩＰゲートウェイ装置
３１  パケット部
３２１１  ゲイン調整部
３２１２  ゲイン調整部
３２１ｎ  ゲイン調整部
３２２１  ゲイン調整部
３２２２  ゲイン調整部
３２２ｎ  ゲイン調整部
３３  ＣＯＤＥＣ部
３４  インタフェース部
３５  ゲイン調整統制部
３６  記憶部
９００  通信システム
９１１  ＬＳ
９１２  中継交換機
９２１  ＬＳ
９２２  中継交換機
９３１  ＬＳ
９３２  中継交換機
ＮＬ  ＰＢＸ網
ＬＬ１２  アナログ回線
ＬＬ１３  アナログ回線
ＬＬ２３  デジタル回線
Ａ１  設定情報
Ａ２  設定情報
４  ゲートウェイ装置
４１１  信号増減部
４１２  信号増減部
４１ｎ  信号増減部
４２  制御部
４３  選択信号
【図１】
0005857779.tif 000002
【図２】
0005857779.tif 000003
【図３】
0005857779.tif 000004
【図４】
0005857779.tif 000005
【図５】
0005857779.tif 000006
【図６】
0005857779.tif 000007
【図７】
0005857779.tif 000008
【図８】
0005857779.tif 000009
【図９】
0005857779.tif 000010
【図１０】
0005857779.tif 000011
【図１１】
0005857779.tif 000012
【図１２】
0005857779.tif 000013